Podtech/llm-jp-corpus-v4-ja_patent huggingface dataset:
(57)【要約】【課題】  飲用ボトルで飲用する時はボトルを傾斜させて上向きにて飲用するが必ずしも好ましい姿勢とは言えない。その為ストローがあるが、ストローは別体で調達し且つキャップを締める事ができず使用後放棄されて環境問題となっている。【解決手段】  上記の課題はストローと飲料ボトルを一体とすることで解決できる。即ちストローの吸い口を二つの円弧で口に相当するマウスの形状とし、手前の円弧はボトルの飲み口の内径と同一としてボトルの飲み口の内面にその上端をボトルの上端と一致させて密着内接し、前面の円弧はボトルの飲み口の内径の中間において仕切る如く隔壁を形成し、その吸い口に接続してストロー管をボトルの底面まで延長したボトルとストローを一体とすることで解決できる。【選択図】図１
2020186052.tif 000002
【特許請求の範囲】
【請求項１】
飲料ボトルの飲み口の内側にストローを内接した飲料ボトルであって、そのストローは吸い口を二つの円弧をもって口の形に相当するマウスの形状をもつことを特徴とし、手前の円弧は飲料ボトルの飲み口の内径と同一の直径を持ち飲料ボトルの飲み口の内側に適宜の幅をもってその上端を飲み口の上端と高さを一致して内接密着し、前面の円弧はボトル口の中間で仕切る如く隔壁を形成し、その吸い口に接続したストロー管をボトルの底面まで延長した構造を持つ飲料ボトル。
【請求項２】
請求項１に記載のストローを内接した飲料ボトルを効率よく工業生産する為に、飲料ボトルの飲み口の内径と同一の直径を持ち上辺に反り返りをつけた円環と、図４表示の吸い口をマウスの形状としたストローとを一体成型し、工業的に飲料ボトル口の上方より嵌入する事を可能とする図５表示の構造体。
【請求項３】
請求項１に記載のその吸い口が二つの円弧によってマウスの形状をもった図４表示のストロー。
【発明の詳細な説明】
【技術分野】
【０００１】飲料ボトルにストローを内接してボトルを傾斜せずに飲用する事ができ、ストローを廃棄せず環境への配慮したボトルに関する。
【背景技術】
【０００２】飲料ボトルを傾斜せず正常姿勢で飲用するためにはストローを使用するが、ストローは別体で調達して挿入する必要があり、キャップを締めることが出来ず、使用後ストローを廃棄する問題があるが、ストローを内接して一体となった飲料ボトルは存在していない。
【発明の概要】
【発明が解決しようとする課題】
【０００３】前記の問題を解決してストローを内接した飲料ボトルを提供することを課題とする。
【課題を解決するための手段】
【０００４】上記の課題を解決するために本発明においては、ストローの吸い口を二つの円弧により口に相当するマウスの形状とし、手前の円弧はボトルの飲み口の内径と同一の直径を持つ相似形であり適宜の幅を持ってボトル口の内面に上端をボトル口の上端と一致させて内接密着される。前面の円弧はボトル口の内径を中間で仕切る如く隔壁を形成し、この吸い口に接続してストロー管をボトルの底面まで延長される。【０００５】かくの如き形態を持つボトルで飲用するときは通常と同様の口あてで口がマウスの形状の吸い口にフィットして空気のもれなく吸入され、キャップも通常同様に締める事ができる。
【発明の効果】
【０００６】本発明になるストローを内接したボトルで飲用する時は別体のストローを調達する必要がなく、ボトルを傾斜上向きせず正常姿勢で飲用出来、通常と同様にキャップを締める事ができる。【０００７】またストローが内接されていることで使用後ストローを放棄することなく、近年問題となっている環境を害することなく、ボトル同様リサイクルが可能である。
【図面の簡単な説明】
【０００８】
【図１】  本発明のストローを内接したボトルの斜視図
【図２】  上記ボトルの上面より見た平面図
【図３】  上記ボトルの上部飲み口の断面図
【図４】  ストロー部位の斜視図
【図５】  請求項２の円環とストローを一体とした構造体の斜視図
【発明を実施するための形態】
【０００９】
【実施例１】
【００１０】ストローの吸い口を二つの円弧により口に相当するマウスの形状とし、手前の円弧はボトルの飲み口の内径と直径を同一の相似形とし適宜の幅をもってボトルの内面に上端をボトル口の上端と一致させて内接密着される、前面の円弧はボトル口の内径を中間で仕切る如く隔壁を形成し、この吸い口に接続してストロー管をボトルの底面まで延長することでストローを内接した飲料ボトルが完結される。
【実施例２】
【００１１】請求項２に記載の本発明のボトルを効率よく工業的生産する為にボトル口の内径と同一の直径を持ち上辺に反り返りをつけた円環と図４に記載のマウスの形状をつけたストローを一体成型した構造体を設定し、工業的にボトル口の上方より嵌入することで量産が可能となる。
【符号の説明】
【００１２】    １  飲料ボトル
２  二つの円弧でマウスの形状をしたストローの吸い口
３  ストロー管
４  請求項２の円環とストローの一体成型構造体
５  キャップ
【図１】
2020186052.tif 000003
【図２】
2020186052.tif 000004
【図３】
2020186052.tif 000005
【図４】
2020186052.tif 000006
【図５】
2020186052.tif 000007
(57)【要約】【課題】簡易な構造の一人で効率よく袋詰めを行うことができる袋詰めスタンドを提供する【解決手段】筒状の金属或いは、合成樹脂素材を加工し持ち手と目盛りを取り付けた袋詰めスタンドを使用し、袋を内側、外側に設置し袋口から袋詰めを行い、袋詰めスタンドを使用後抜き取る事で使用者は簡易的、効率的に一人で袋詰めの作業効率を上げる事で解決する【選択図】図１
2020186051.tif 000002
【特許請求の範囲】
【請求項１】
袋詰めする際、袋を他人が持たなくとも内側外側の両側に簡易に固定でき、且つ持ち手、目盛りといった簡易に多目的に応用できる底面が空いた筒状の金属製又は合成樹脂素材の袋詰めスタンド
【発明の詳細な説明】
【技術分野】
【０００１】本発明は、簡易な構造の一人で効率よく袋詰めを行うことができる袋詰めスタンドを提供する
【背景技術】
【０００２】従来、災害現場などで土嚢作りは、通常、二人一組で行っていた。一人が土嚢袋の袋口を開いて持ち、他の一人が土をスコップなどで掬って、袋に投入することにより袋詰めを行っていた
【発明の概要】
【発明が解決しようとする課題】
【０００３】二人一組での作業により人手を要することになる作業の非効率とその他の袋詰めの非効率の解決を課題とする
【課題を解決する為の手段】
【０００４】目盛りを設けた筒状の一方端に持ち手ハンドルを設け、袋を内側、外側に袋口を開いた状態での固定を可能にすることで、満量あるいは適した量の内容物に達するまで、土などの内容物を入れやすく袋口を保持する事を特徴とした人手を要しない袋詰めスタンド
【発明の効果】
【０００５】この袋詰めスタンドは、土嚢袋やその他の袋口を開口した状態で固定できるため、一人で土などを投入して袋詰めを行うことができる。
【図面の簡単な説明】
【０００６】
【図１】  本発明の実施例の平面図である
【図２】  本発明の第一実施例図である
【図３】  本発明の第二実施例図である
【発明を実施するための形態】
【０００７】以下、本発明の実地の形態について説明する
底の抜けた筒状の袋詰めスタンド１に目盛り３を設け、一方端に持ち手ハンドル２を設け、袋を内側、外側に袋の口を開いた状態での固定を可能した構造となっている本発明は、以上のような構成である
本発明を使用とするときは、図２参照の内側の上部縁に袋口を掛けた際は、土などの内容物をスコップにより開口部から入れ袋詰めを行い、使用後は袋スタンドを抜き、袋閉じを行う。図３参照の外側に取り付けた際は、そのまま袋スタンドの開口部に土を入れ、入れた重みにより袋自体は固定され、作業後は袋スタンドを抜くことで袋自体に土、その他の内容物は充填された後、袋閉じを行う
【０００８】１  袋詰めスタンド
２  持ち手ハンドル
３  目盛り
４  スコップ
５  土
６  袋
【図１】
2020186051.tif 000003
【図２】
2020186051.tif 000004
【図３】
2020186051.tif 000005
(57)【要約】      （修正有）【課題】強く引っ張っても切れにくく、仕掛けを真下に垂らしても、遠くに投げ垂らしても、正確にタコテンヤ等の真上に、且つ、海底から適した高さに誘寄束帯状反射体を位置させることを可能にする、タコ釣り用誘寄器具を提供する。【解決手段】糸１の一端に、浮力体２を設け、該浮力体２の真下に、誘寄束帯状反射体３を設け、他端に、係着スナップ４を設けたタコ釣り用誘寄装置。【選択図】図３
2020110131.tif 000002
【特許請求の範囲】
【請求項１】
糸の一端に、球状または束帯状等の浮力体を設け、釣り中に垂らしてある状態において、該浮力体の真下に誘寄束帯状反射体を設け、糸の他端に、係着スナップを設けてあることを特徴とするタコ釣り用誘寄器具。
【請求項２】
糸を絡み防止パイプに通した形態にしてあることを特徴とする請求項１に記載のタコ釣り用誘寄器具。
【発明の詳細な説明】
【技術分野】
【０００１】  本発明は、糸が切れにくく、且つ、釣果を向上させることを可能とするタコ釣り用誘寄器具に関するものである。
【背景技術】
【０００２】  タコを釣るには、タコテンヤ等を結びつけた仕掛けを足元下に垂らして、又は、遠くに投げ垂らして、ゆっくり底を引きずるようにして、タコを誘い、タコテンヤ等にタコの足を絡まらせ、釣り人が重みを感じたら竿を素早く立て、タコテンヤ等の針をタコの体に掛けて、リールを巻いて、釣るものである。
そして、タコ釣りをする際に、タコテンヤ等の上、数１０センチに、タコの興味をそそる様にキラキラして不規則にユラユラ浮動する多数の小帯片の一束状になっている誘寄用の束帯状の反射体を取り付けると、好奇心が強い習性を持つタコは、興味を持って、タコテンヤ等の近くまで海底を這って来て、結果、タコテンヤ等を発見しやすくさせることが可能となり、釣果を向上させることが可能となる（特許文献参照）。
【先行技術文献】
【特許文献】
【０００３】
【特許文献１】実登３２０９８６８号公報
【発明の概要】
【発明が解決しようとする課題】
【０００４】  道糸とタコ用ルアーとの間に誘寄帯状反射体を取り付ける構造の場合、以下のような不都合点が生じる。
（イ）結び目が多く複雑な構造になり、海底の置き石やテトラポット、海草の根等の障害物にタコ用ルアーが引っ掛かった場合、外そうと糸を強く引っ張ると、弱い箇所である結び目から、簡単に糸が切れてしまっていた。
（ロ）また、真下に仕掛けを垂らして釣る時はよいが、岸壁などから、仕掛けを遠くに投げ垂らして釣る時は、海底から誘寄束帯状反射体までの距離も近く低くなりすぎ、しかも斜め岸壁寄りに位置してしまっていて、十分周囲のタコにタコ用ルアーの存在をアピールする事ができなかった。
本発明は、以上の問題を解決するためになされたものである。
【課題を解決するための手段】
【０００５】  １０センチの糸を垂らした状態において、上端に球状または束帯状の浮力体を設けてあり、該浮力体の真下に、誘寄束帯状反射体を設けてあり、糸の下端に、係着スナップを設けてある。これを道糸の先端に係着スナップを介して取り付けて、タコ釣り用に使用される。
以上の構成よりなるタコ釣り用誘寄器具である。
【発明の効果】
【０００６】  （イ）強度的に弱い箇所である結び目が一か所であるため、タコテンヤ等の針が海底の障害物に引っ掛かってしまった時、外そうと道糸を強く引っ張っても、糸が切れにくい
（ロ）仕掛けを真下、遠く、いかなる距離に投げ垂らしても、誘寄束帯状反射体がタコテンヤ等の真上にきて、且つ、海底からタコにアピールするのに適した場所に位置させられる
【図面の簡単な説明】
【０００７】
【図１】従来のタコ釣りを示すイメージ図
【図２】本発明において、束帯状の浮力体を設けたタイプの正面図
【図３】本発明において、球状の浮力体を設けたタイプの正面図
【図４】本発明の使用中において、遠くに投げ垂らしてタコ釣りをしている状態を示すイメージ図
【図５】本発明の使用中において、真下に垂らしてタコ釣りをしている状態を示すイメージ図
【発明を実施するための形態】
【０００８】  以下、本発明の実施の形態を説明する。
（イ）数１０センチの絡み防止パイプに通した糸（１）の一端に、球状、または、束帯状の浮力体（２）を設け、その真下に誘寄束帯状反射体（３）を設けてある。
（ロ）糸（１）の下端部に係着スナップ（４）を設けてある。
本発明は以上のような構造である。
本発明を使用するときは、係着スナップ（４）をタコ用ルアー（９）の道糸（６）とタコ用ルアー（９）の連結部分周辺に取り付け、真下に垂らす、又は、遠くに投げ垂らして、海底に沈める。
ゆっくりとタコ用ルアー（９）を引きずり、タコをおびき寄せ、タコ用ルアー（９）に抱き着かせる。
すると竿（７）に重さを感じる為、素早く釣竿（７）を立て、タコ用ルアー（９）の針にタコを掛け、リール（８）を巻き、釣り上げる。
【符号の説明】
【０００９】１  糸    ２  浮力体    ３  誘寄束帯状反射体結束具    ４  係着スナップ    ５  誘寄束帯状反射体    ６  道糸    ７  釣竿    ８  リール    ９  タコ用ルアー
【図１】
2020110131.tif 000003
【図２】
2020110131.tif 000004
【図３】
2020110131.tif 000005
【図４】
2020110131.tif 000006
【図５】
2020110131.tif 000007
(57)【要約】      （修正有）【課題】植物定植前、又、植物育成中の一部分の育成中の圃場に於いて土壌消毒による、影響を受けずに安全に土壌消毒ができる近紫外線ＬＥＤ装置を搭載した近紫外線光ＬＥＤ利用の移動式土壌撹拌消毒装置を提供する。【解決手段】植物を定植可能にする圃場を撹拌後に近紫外線光ＬＥＤ光を照射し、より安定的に、土壌、培養土の病害の糸状菌を防除し、繰り返し利用の近紫外線光ＬＥＤ装置を搭載した、近紫外線光ＬＥＤ利用の移動式土壌撹拌消毒装置。【選択図】なし【特許請求の範囲】
【請求項１】
近紫外線光ＬＥＤを有する当該ＬＥＤを搭載し、移動を可能にし、当該近紫外線光照射しうる当該近紫外線光ＬＥＤを搭載し、当該土壌、当該培養土を撹拌可能にした、近紫外線光ＬＥＤ利用の移動式土壌撹拌消毒装置。
【請求項２】
近紫外線光ＬＥＤを有する当該ＬＥＤを搭載し、移動を可能にし、当該近紫外線光照射しうる当該近紫外線光ＬＥＤを搭載し、当該土壌、当該培養土を撹拌可能にした、近紫外線光ＬＥＤ利用の移動式撹拌消毒装置、「請求項１」記載の当該近紫外線光ＬＥＤを有する当該ＬＥＤを搭載し、移動可能にした、近紫外線光ＬＥＤ利用の移動式撹拌消毒装置である。
当該近紫外線光ＬＥＤを有する当該ＬＥＤを搭載した、当該近紫外線光ＬＥＤ装置と、当該土壌，当該培養土の上面を移動可能にした当該移動装置と、
当該土壌、当該培養土を撹拌可能にした撹拌駆動装置にて構成。
当該近紫外線ＬＥＤ装置、当該移動装置、当該撹拌駆動装置にして、組立、交換可能にして構成している当該装置を有する、近紫外線光ＬＥＤ利用の移動式土壌撹拌消毒装置。
【請求項３】
「請求項１」、「請求項２」、記載の紫外線光を有するＬＥＤは、ＬＥＤ波長３８０ナノメートル以下の波長を有する、近紫外線光ＬＥＤ利用の移動式土壌撹拌消毒装置。
【請求項４】
「請求項１」、「請求項２」、記載の紫外線光を有するＬＥＤは、ＬＥＤ波長３８０ナノメートル以下波長２００ナノメートル以上の波長を有する、近紫外線光ＬＥＤ利用の移動式土壌撹拌消毒装置。
【請求項５】
「請求項１」、「請求項２」、記載の紫外線光を有するＬＥＤは調光可能にした、近紫外線光ＬＥＤ利用の移動式土壌撹拌消毒装置。
【発明の詳細な説明】
【技術分野】
【０００１】本発明は、近紫外線ＬＥＤを搭載し且つ、土壌を撹拌し且つ、移動しうる装置にて、近紫外線ＬＥＤ光線利用の土壌消毒装置に関する。【０００２】従来土壌消毒は、農薬又は太陽熱による土壌消毒方法が周知のことである。
又、紫外線光照射により、タンソ病などの糸状菌、うどんこ病菌、防除が一般的に知られていることは、周知のことである。
【発明が解決しようとする課題】
【０００３】土壌消毒の為に農薬を利用せずにＬＥＤ光線の３８０ナノメートル以下のＬＥＤ光線を利用し、照射可能な近紫外線ＬＥＤ装置を搭載し、土壌、培養土を撹拌可能にし、移動可能にした土壌消毒装置を構成して、室外、温室やビニールハウス内や閉鎖系の建物内の高設べんち栽培等、植物を定植前の土壌や培養土を撹拌後に土壌や培養土を近紫外線を照射しうる装置を搭載し、土壌、培養土を撹拌可能にし、移動可能にした土壌、培養土の移動式土壌撹拌消毒装置にて近紫外線光を照射し、植物定植前、又、植物育成中の一部分の育成中の圃場に於いて土壌消毒による、影響を受けずに安全に培土等壌消毒ができる近紫外線ＬＥＤ装置を搭載した近紫外線光ＬＥＤ利用の移動式土壌撹拌消毒装置に関する。
【課題を解決するための手段】
【０００４】通常、消毒、滅菌や植物等の病害菌を不活性化したりするなどに近紫外線を利用されている。
当考案は、近紫外線光装置を搭載し、移動可能にし、土壌撹拌可能にした移動式土壌撹拌消毒装置にて、土壌、培養土上面を移動し、土壌、培養土を撹拌後、に近紫外線ＬＥＤ光線を照射し、植物を定植する圃場の土壌、培養土の病害微生物菌を抑制する、近紫外線光ＬＥＤ装置搭載の近紫外線光ＬＥＤ利用の移動式土壌撹拌消毒装置。
【０００５】本発明によれば、当該近紫外線光ＬＥＤ装置を搭載し移動可能にし且つ撹拌可能にした、当該近紫外線光ＬＥＤ装置搭載の移動式土壌撹拌消毒装置にて当該土壌又は当該培養土の上面を移動撹拌後、又は当該土壌又は当該培養土の上面を繰り返し撹拌後に、当該近紫外線光ＬＥＤ搭載装置にて、当該近紫外線光を当該土壌、当該培養土の上面から当該近紫外線光を照射する、又繰り返し照射することにより当該土壌中のたんそ病等、病害菌たる糸状菌類の成長をより多く抑制し、防除出来る方法に利用できる当該近紫外線光ＬＥＤ装置搭載の近紫外線光ＬＥＤ利用の移動式土壌撹拌消毒装置。
【０００６】当該近紫外線光ＬＥＤ装置搭載の移動式土壌撹拌消毒装置に於いて、繰り返し移動可能にし、当該土壌、当該培養土の上面を移動し土壌、培養土を撹拌後に繰り返し近紫外線ＬＥＤ光線を照射する。
【０００７】当該近紫外線光ＬＥＤ装置搭載の移動式土壌撹拌消毒装置を利用し、近紫外線光ＬＥＤの光線を照射し病害たる土壌中、培養土中のタンソ病糸状菌等を不活性化、糸状菌の成長を抑制し、植物病害の防除効果を齎す、当該土壌、当該培養土を撹拌し、繰り返し近紫外線光ＬＥＤ装置の近紫外線光照射にて病害たる土壌中、培養土中のタンソ病糸状菌等を不活性化、糸状菌の成長を抑制し、植物病害の防除効果を齎す方法により安定した防除効果を齎す近紫外線光ＬＥＤ装置搭載の近紫外線光ＬＥＤ利用の移動式土壌撹拌消毒装置を考案した。
【０００８】当該近紫外線光ＬＥＤ装置の当該近紫外線光ＬＥＤは蛍光管の内部に当該近紫外線光ＬＥＤチップを置き並べ構成、又は、スズラン状態に構成、光が広くより良く土壌、培養土に拡散する為に又、反射板を構成させ、当該近紫外線光ＬＥＤ利用の移動式土壌撹拌消毒装置にて土壌、培養土を撹拌後に近紫外線光ＬＥＤの光を土壌、培養土により安定し、照射可能にし、土壌、培養土の等病害菌を防除出来る近紫外線光ＬＥＤ利用の移動式土壌撹拌消毒装置を考案。
【０００９】当該近紫外線光ＬＥＤ装置搭載の近紫外線光ＬＥＤ利用の移動式土壌撹拌消毒装は，以下表示３種類。
当該近紫外線光ＬＥＤ当該装置。
当該土壌，当該培養土の上面を移動しうる当該移動装置。
当該土壌、当該培養土を撹拌可能にした当該撹拌駆動装置。
上記表示の当該近紫外線光ＬＥＤ当該装置、当該移動装置、当該撹拌駆動装置は、
組立、交換可能な当該装置にて構成した。
当該近紫外線光ＬＥＤ当該装置において、糸状菌類のたんそ菌をより防除のときは、３８０ナノメーターの以下の最大波長領域を保持する近紫外線ＬＥＤに交換を可能にした。
当該移動装置おいて、１分間当たり１ｍの移動の時は、当該移動装置の１ｍ／ｍｉｎ装置に交換可能にした。
当該撹拌駆動装置おいて、土壌、培養土の粒子が大、中、小  の当該撹拌装置を交換可能にした。
(57)【要約】      （修正有）【課題】球のスピードと球の力に負けない打撃方法を習得するための打撃練習補助具を提供する。【解決手段】スイング時のバット３の軌道を示す形状に合わせた金属２と、該バット３と該金属２の直接の接触を避けるため該金属２の該バット３が通過する側に貼り合せたゴム１と、該金属２および該ゴム１を支持する台５で構成する。該金属２は、スイングの開始地点から鉛直方向下側に延び、略半円の円弧を描くように軌道を変え、さらに、水平方向よりやや上方に向けた方向に延びる。【選択図】図１
2020110550.tif 000002
【特許請求の範囲】
【請求項１】
本発明のバットを垂直近くの角度で振り下ろします  下に行くとともにバットに力を与えるために手首を使い回転を与えますが本発明の下部に湾曲の場所で強くバットを回転させます  下に振り下ろす力とバットの回転させた力で球の力に負けません  右打者のばわい右手をかぶせたまま伸ばしてください  フロースルーを大きくとつてください    大切な場所は垂直近くの角度の振り下ろしと  下部の曲線部分の手首を使いバットを押し込みまた回転させるところ      身体の開がなくなる  確実性増します  打球が飛びます
【発明の詳細な説明】
【技術分野】
【０００１】球のスピードはバットスピードとバッテング姿勢で対抗します  球の力にはバットスピードとバットの回転力で対抗します
【背景技術】
【発明が解決しようとする課題】
【０００２】根性指導が多いと思います  科学的要素の打撃指導ではないように思います
【発明の概要】
【発明が解決しようとする課題】
【０００３】球を引きつけて打つ  身体の姿勢を開いてはいけない  手首の使い方でバットに回転加える  打撃のイマジネーションをよりよくかえる
【課題を解決するための手段】
【０００４】図１のＡの場合バットを上から振り下ろします  力強く振ります図１の符号Ｂでは３の球を手首を使ってバットに回転をあたえてさらに力強く振ります  符号Ｃでは右打者の場合右手をかぶせるようにフロースルーを大きくとります
【発明の効果】
【０００５】打者として身体が開かない    バットが上から振れるからバットコントロールが良くなる  バットスピードが早くなる  又球がとおくに飛びます  打率が良くなる    バッチングのイマジネーションが向上します
【図面の簡単な説明】
【０００６】図１は右打者の場合いの側面図です  番号１はゴムです番号２は金属です  又は木材もつかいます  番号３はバットです番号４の線はバットの回転を説明するためにの線です  符号ＡＢＣの意味は場所を表している図２はゴムと金属合さった断面図です
【発明を実施するための形態】
【０００７】図１は右打者の場合いの側面図です  バットスピードとバット回転を利用して球を遠く飛ばす運ぶ  その出発ガ符号Ａの上部からです  垂直近くの角度からスピード豊かに振り下す  符号Ｂでは手首使いバットの回転を使用して振りぬく符号ＡとＢとで力強く遠く飛ばします
符号Ｃにいき右手をかぶせフロースルーを大きくします  体を開かないバットスピードを上げる  上から叩く  イマジネーションの変化させる
【符号の説明】
【０００８】▲１▼ゴム    ▲２▼金属又は木材    ▲３▼バット    ▲４▼バットの線は回転の説明の線です    ▲５▼台    符号  Ａ    Ｂ    Ｃ  説明場所です
【図１】
2020110550.tif 000003
【図２】
2020110550.tif 000004
(57)【要約】      （修正有）【課題】ＵＶ−ＬＥＤ光線を利用した移動式土壌消毒装置の提供。【解決手段】紫外線光を有するＬＥＤを搭載し、培土、土壌の上面を移動可能にし、植物を定植する圃場を撹拌した後にＵＶ−ＬＥＤ光を照射し、土中、培土のフザリュウム菌、タンソ病菌等を滅菌する移動式土壌消毒装置。【選択図】なし【特許請求の範囲】
【請求項１】
紫外線光を有するＬＥＤを搭載し、培土、土壌の上面を移動可能にした装置にて、当該培土、当該土壌を撹拌後に、当該紫外線光を照射しうる紫外線光を有するＬＥＤを搭載し移動可能にした装置。
【請求項２】
「請求項１」、記載の紫外線光を有するＬＥＤは、ＵＶ−ＬＥＤ波長３８０ナノメートル以下の波長を有する装置。
【請求項３】
「請求項１」、記載の紫外線光を有するＬＥＤは、ＵＶ−ＬＥＤ波長３８０ナノメートル以下波長２００ナノメートル以上の波長を有する装置。
【請求項４】
「請求項１」、記載の紫外線光を有するＬＥＤ、ＵＶ−ＬＥＤは、調光可能にした装置。
【請求項５】
「請求項１」、記載の当該紫外線光を有するＬＥＤを搭載移動可能にした装置は、前進後退可能な自動制御有する装置
【発明の詳細な説明】
【技術分野】
【０００１】本発明は、ＵＶ−ＬＥＤを搭載し且つ土壌を撹拌し移動しうる装置にて、ＵＶ−ＬＥＤ光線利用の土壌消毒装置に関する。【０００２】従来土壌消毒は、農薬又は太陽熱による土壌消毒方法が周知のことである。
又、紫外線光照射により、糸状菌たるタンソ病害菌等、うどんこ病菌、フザリュウム菌の防除が一般的に知られていることは、周知のことである。
【発明が解決しようとする課題】
【０００３】土壌消毒の為に農薬を利用せずにＬＥＤ光線の３８０ナノメートル以下光線を利用し、土壌や培土を撹拌後に、照射可能なＵＶ−ＬＥＤを搭載した、移動可能な土壌消毒装置にて、温室やビニールハウス内や閉鎖系の建物内の高設べんち栽培等に植物を定植する土壌や培土を撹拌後照射し、植物育成中内の一部分の育成中の圃場に於いて土壌消毒による、影響を受けずに安全に培土等上壌消毒ができる、ＵＶ−ＬＥＤを搭載した移動式土携消毒装置に関する。
【課題を解決するための手段】
【０００４】通常、消毒、滅菌や植物等の病害を滅菌に紫外線を利用されている、紫外線光を搭載した、移動式上壌消毒装置にて、土壌、培土上面を移動し土壌を撹拌後、培地に一定時間ＵＶ−ＬＥＤ光線を照射し、植物を定植する圃場、培土の土壌の病害微生物を滅菌する、ＵＶ−ＬＥＤ搭載移動式土壌消毒装置。
【０００５】本発明によれば、当該ＵＶ−ＬＥＤを搭載し移動する装置にて、当該土壌又は培土を撹拌後当該ＵＶ−ＬＥＤを搭載の移動式上壌消毒装置にて当該ＵＶ−ＬＥＤの光線を照射し、病害たる土壌内のフザリュウム、タンソ病菌等の防除する装置。
当考案の当該ＵＶ−ＬＥＤを搭載の移動式土壌消毒装置にて当該ＵＶ−ＬＥＤの光線を照射し後、又数回当該ＵＭ−ＬＥＤを搭載の移動式土壌消毒装置にて当該ＵＶ−ＬＥＤを搭載し土壌を撹拌移動式土壌消毒装置にて培土、土壌の撹拌し、当該ＵＶ−ＬＥＤを搭載し土壌を撹拌移動式土壌消毒装置にて当該ＵＶ−ＬＥＤにて照射をした後に又当該ＵＶ−ＬＥＤを搭載し土壌を撹拌移動式土壌消毒装置にて繰り返し、当該培土、土壌を繰り返し撹拌し、当該ＵＶ−ＬＥＤにて照射し、病害フザリュウムをより多く防除できる、当該ＵＶ−ＬＥＤを搭載し移動式土壌消毒装置。
【０００６】  当該ＬＥＤを当該ＵＶ−ＬＥＤを搭載し土壌を撹拌移動式土壌消毒装置にて当該ＵＶ−ＬＥＤにて照射をした後に又当該ＵＶ−ＬＥＤを搭載し土壌を撹拌移動式土壌消毒装置にて繰り返し、当該培土、土壌を繰り返し撹拌し、当該ＵＶ−ＬＥＤにて照射し、病害フザリュウムをより多く防除できる、当該ＵＶ−ＬＥＤを搭載し移動式土壌消毒装置にて繰り返し土壌、培土を当該ＵＶ−ＬＥＤを搭載し移動式土壌消毒装置にて撹拌し、土中のフザリウムを土壌の表面に掘り起し後、当該搭載移動式土壌消毒装置ＵＶ−ＬＥＤにて照射し繰り返して操作し、土中内の病害フザリュウムをより多く防除できる装置を考案した。
【０００７】当該ＬＥＤはＵＶ−ＬＥＤは蛍光管の内部にＵＶ−ＬＥＤチップを置き並べ構成、又は、スズラン状態に構成、光が広く、強く土、培地に拡散する為に反射板を構成させ、ＵＶ−ＬＥＤ利用の移動式土壌消毒装置にて培地、土壌を撹拌後にＵＶ−ＬＥＤの光を土中に照射可能にし、培土、土中のフザリュウム等病害菌を防除出来る装置を考案。
(57)【要約】      （修正有）【課題】炊飯用の電気釜やガス釜の蓄熱率を高め、かまど炊きや土鍋炊きの様なご飯の味が実現可能な炊飯用の釜を提供すること。【解決手段】電気炊飯器の内釜１の中に棒状の突起物２を取り付ける。棒状の物は熔接による接着かネジによるはめ込み等が考えられるが磁石による接着が有効と考える。磁石による接着なら着脱が容易に出来るので米をとぐ時にも障害にならない。これによって炊飯の理想に近い１００℃の高温を釜の中全体すなわち釜底から上部まで保つことが出来る。また米のうまみである「でんぷん」のアルファー化が米全体に行き渡るようになる。【選択図】図１
2020110556.tif 000002
【特許請求の範囲】
【請求項１】
内釜に棒状の突起物をつけた電気炊飯器及びガス炊飯器  炊飯用土鍋
【発明の詳細な説明】
【技術分野】
【０００１】  中心部まで高温状態を持続させる為の炊飯器用の釜や鍋
【背景技術】
【０００２】  従来の炊飯用の電気釜やガス釜は熱の伝導性は早いが蓄熱率は低かった。その為かまど炊きや土鍋炊きの様なご飯の味は出せなかった。
【発明の概要】
【発明が解決しようとする課題】
【０００３】  従来電気炊飯器で炊いたご飯はかまど炊きや土鍋炊きより味が落ちると言われてきた。この原因の一つに釜の蓄熱率がある。かまど炊きや土鍋炊きが美味しいとか、大量に炊いたご飯の方が少量炊きより美味しいとか言われる理由はいつまでも高温を持続出来るこの蓄熱率の多さである。
しかし電気釜等は材質の関係でこの蓄熱率の向上は難かしかった。
【課題を解決するための手段】
【０００４】  そこで本発明は炊飯器の中心部に棒状の物を付けて釜内の蓄熱率を向上させたものである
【発明の効果】
【０００５】  これによって炊飯の理想に近い１００℃の高温を釜の中全体すなわち釜底から上部まで保つことが出来る。
この事で米のうまみである「でんぷん」のアルファー化が米全体に行き渡るようになる。
【図面の簡単な説明】
【０００６】
【図１】  本発明の実施形態を示す透視図
【図２】  本発明の実施形態の断面図
【発明を実施する為の形態】
【０００７】  以下本発明の実施形態を図面に基づいて説明する
【０００８】  図１、図２の様に電気炊飯器の内釜１の中に棒状の突起物２を取り付けたものである。
只、中心の棒状の物を一体成型で作るには技術上難かしい事があると思われる。棒状の物は熔接による接着かネジによるはめ込み等が考えられるが磁石による接着が有効と考える。
磁石による接着なら着脱が容易に出来るので米をとぐ時にも障害にならない。
【産業上の利用可能性】
【０００９】  ご飯を炊く電気釜やガス釜の他に蓄熱を必要とするシチューやカレー鍋にも利用出来る
【符号の説明】
【００１０】  １  電気炊飯器の内釜
２  棒状の突起物
【図１】
2020110556.tif 000003
【図２】
2020110556.tif 000004
(57)【要約】      （修正有）【課題】格闘技や武道のジムや道場において、広く利用されているサンドバッグとは異なる新しいタイプの拳を鍛えるための用具を提供する。【解決手段】概ね正方形状の金属製の板１の概略中央付近に、拳を的確に当てるため、テープ２で概ね１辺が２センチメートルとなる正方形状の目標を形成する。該金属製の板１は、厚さが５センチメートルであり、その四隅をネジ３を使用し壁に固定する。【効果】新しいタイプの拳を鍛えるための用具を利用することができる。【選択図】図１
2020110555.tif 000002
【特許請求の範囲】
【請求項１】
金属は厚さ５センチ、２０センチ四方の正方形で、真ん中に２センチ四方のテープがはってある。
【発明の詳細な説明】
【技術分野】
【０００１】拳を強くする為の金属
【背景技術】
【０００２】  従来は、格闘技や武道のジムや道場に、拳を鍛える金属は無かった。
【先行技術文献】
【特許文献】
【０００３】
【発明の概要】
【発明が解決しようとする課題】
【０００４】  従来は、格闘技や武道のジムや道場で拳を鍛えるにはサンドバッグしか無かったのを本発明は以上の問題点を解決するものである。
【課題を解決するための手段】
【０００５】  金属は厚さ５センチ、２０センチ四方の正方形で、真ん中に２センチ四方のテープがはってある。
【発明の効果】
【０００６】  金属にむかって拳を叩くことによって、従来には無かった拳を鍛えることが出来た。
【図面の簡単な説明】
【０００７】
【図１】正面から見た図
【図２】真上から見た図
【発明を実施するための形態】
【０００８】  以下本発明の実施の形態を説明する
（イ）ネジ（３）で壁に取り付ける。
（ロ）金属は、２０センチ四方の正方形
（ハ）拳を的確に当てるため、真ん中に、２センチ四方の正方形のテープをはる。
（ニ）真上から見ると厚さ５センチで、左右下から見ても厚さ５センチ。
【符号の説明】
【０００９】１  金属製
２  テープ
３  ネジ
【図１】
2020110555.tif 000003
【図２】
2020110555.tif 000004
(57)【要約】【課題】室内で、主に洗濯物を干す時に使用する突っ張り棒（伸縮棒）は壁を傷付けず、痕跡も残さず便利で有るが、壁に対して上下左右が直角でなければならない。又、従来の方法だと右半分、若しくは左半分が邪魔になる事もあり、突っ張り棒を斜めに突っ張れば開いた方向にずれて落ちてしまう。【解決手段】室内に在る、入隅、出隅、窓縦枠、押し入れ縦枠、ドア縦枠、引き戸縦枠等の変化点を利用する仕組みで横ずれを制する事で、相当な斜めの突っ張りも可能とする。【選択図】図８
2020110551.tif 000002
【特許請求の範囲】
【請求項１】
室内で主に洗濯物を干す時に使用する伸縮自在の斜め突っ張り棒で、水平に設置する為に、両端の壁面に対して上下方向は直角であるが、水平方向は斜めに設置する為に突っ張り棒の両端共に壁面に対して鋭角と鈍角になり、突っ張り棒の突っ張り面は常に壁面と密着するようにピンを軸とした可動式で、必要に応じてノブナットを締め込む事でロックが出来、この斜め突っ張り棒の設置には壁面と壁面が直角を成す入隅部や窓縦枠、ドア縦枠、引き戸縦枠等を利用する仕組みで、突っ張り棒の先端が鈍角方向への横滑りを防ぐものであり、入隅受け（７ａ）を取り外せば、出隅受け（６ａ）で、壁出隅、窓縦枠の内側の角、ドア縦枠の内側の角、引き戸縦枠の内側の角等を斜め突っ張りの固定点として利用し、さらに出隅受け（６ａ）に数段階に調節出来るロング入隅受け（８ａ）を取り付ければ、入隅から離れた所で斜め突っ張りが出来、既存の突っ張り棒のように棒を伸長してロックをし、ネジの力で壁に押しつけて棒を固定する事では同じだが、前記のような方法を駆使することで今までに無い突っ張りが可能な斜め突っ張り棒。
【発明の詳細な説明】
【技術分野】
【０００１】室内で洗濯物を干す等に使用し、壁から壁に水平に指し渡す突っ張り棒。
【背景技術】
【０００２】巷には色々な突っ張り棒（伸縮棒）が有るが、壁に対して上下左右が直角で対面する壁に対して平行な物ばかりで、当然ながら斜めに突っ張る事は出来ない。斜めに設置する場合は、自立の縦軸、若しくは床と天井を突っ張る縦軸に竿を差し渡す物がある。
【発明の開示】
【発明が解決しようとする課題】
【０００３】部屋に物干しを設定する場合、突っ張り棒（伸縮棒）が手頃であるが対面する壁に平行に取り付け無ければならない。【０００４】しかし、間取りや窓の位置、家具等の配置、好み等により、平行に取り付けたく無い場合は支柱を２本立てて竿を指し渡す事になる。
【課題を解決する為の手段】
【０００５】部屋の壁の入隅や出隅、窓縦枠、ドア縦枠、引き戸縦枠、付属のロング入隅受けを利用する。
【発明の効果】
【０００６】前記の部分に対応した突っ張り棒で横滑り防ぎ、或いは固定点として斜め突っ張りを可能とする。
【０００７】
【発明を実施するための最良の形態】
【０００８】発明を実施するための最良の形態を、それぞれの図面を介して説明する。【０００９】図１は、平面図で一般的な突っ張り棒の両端を斜めに突っ張る為の仕組みを施した物である。【００１０】外パイプ１に係止された締付け環２とネジで繋がった固定環３、内パイプ４を外パイプ１から所定の長さまで引き出し固定環３の固定ネジ３ａで内パイプを固定し締付け環２を回して突っ張りを完了するのが今まで方法である。【００１１】図２は、分解図で斜めに突っ張る為の部材で、繋ぎ材５ａは内パイプと出隅受け６ａと繋ぎ、さらに入り隅受け７ａをビスで繋ぐ。【００１２】図３は、側面図で繋ぎ材５ａと出隅受け６ａとを繋ぐもので、アーム５ａａの回転部のピン通し５ａｂとピン穴６ａｂを合致させて、ピン６ｂを貫通させノブナット６ｂａで軽く締める事で、突っ張り棒の向きに関係なく、ピンを支点として常に出隅受けや入り隅受けの面を壁に密着させる事が出来る。【００１３】図４は、出隅受け６ａとその側面図で、滑り止め６ａｃは壁面を傷付けない役目もあり、突っ張った時に壁の両面で支える事で壁の角を損なわない。【００１４】図５は、入隅受け７ａで６ａａと７ａａを合致させビスで係止する。
７ａｂは滑り止めである。【００１５】図６の平面図はロング入隅受け８ａで、入隅受け７ａと入れ替えて使えば入隅から離れた所で斜め突っ張り棒を支える事が出来る。【００１６】図７は、ロング入隅受けの側面図で、８ａｃは滑り止め、８ａｂはビス穴【００１７】図８は、入隅部での突っ張り仕様で、同じ入隅でも突っ張り面を変える事で突っ張る角度が多様となる。【００１８】図９は、壁面９を斜めに突っ張る時の横滑りを窓やドア等の縦枠で受けたものである。【００１９】図１０は、出隅受けで出隅を固定点として突っ張り方や、縦枠の内側を固定点として利用する方法を示したものである。尚、出隅で固定する場合、ピン６ｂのノブナット６ｂａを締めてピンを支点とした動きを固定する。【００２０】図１１は、ロング入隅受け８ａで、出隅受け６ａとの取り付け位置を変える事で入り隅点から離れた、任意の所で斜め突っ張りが出来る。
【図面の簡単な説明】
【００２１】
【図１】斜め突っ張り棒全体平面図
【図２】斜め突っ張りを可能にする部分の部品図
【図３】斜め突っ張り部品の側面図
【図４】出隅受けと右側面図
【図５】入隅受けと右側面図
【図６】ロング入隅受け平面図
【図７】ロング入隅受け側面図
【図８】入隅突っ張り図
【図９】斜め突っ張りを縦枠で受ける方法
【図１０】出隅突っ張りと縦枠突っ張り図
【図１１】ロング入隅受け使用方法
【符号の説明】１          外パイプ
２          締付け環
３          固定環
３ａ        固定ネジ
４          内パイプ
５ａ        継ぎ材
５ａａ      アーム
５ａｂ      ピン通し
６ａ        出隅受け
６ａａ      雌ネジ穴
６ａｂ      ピン穴
６ａｃ      滑り止め（壁保護材）
６ｂ        ピン
６ｂａ      ノブナット
７ａ        入隅受け
７ａａ      ビス穴
７ａｂ      滑り止め（壁保護材）
７ａｃ      横受け部
８ａ        ロング入隅受け
８ａａ      横受け部
８ａｂ      ビス穴
９          壁
１０        縦枠
【図１】
2020110551.tif 000003
【図２】
2020110551.tif 000004
【図３】
2020110551.tif 000005
【図４】
2020110551.tif 000006
【図５】
2020110551.tif 000007
【図６】
2020110551.tif 000008
【図７】
2020110551.tif 000009
【図８】
2020110551.tif 000010
【図９】
2020110551.tif 000011
【図１０】
2020110551.tif 000012
【図１１】
2020110551.tif 000013
(57)【要約】【課題】  比較的安価で輝度が高い発光素子を用いても操作パネルの表示面輝度の低下を抑止可能な洗濯機を提供する。【解決手段】  筐体と、筐体上部に設けた外蓋と、外蓋に設けた操作パネルと、を有し、操作パネルは、回路基板と、回路基板上に充填された充填剤と、回路基板上に設けた複数の発光素子と、発光素子を配置する為の溝穴を備え、回路基板に接して設けた導光板と、を有し、充填剤は、導光板に遮られ発光素子には非接触である、構成とする。【選択図】  図３
2020110245.tif 000002
【特許請求の範囲】
【請求項１】
筐体と、
前記筐体上部に設けた外蓋と、
前記外蓋に設けた操作パネルと、を有し、
前記操作パネルは、回路基板と、前記回路基板上に充填された充填剤と、前記回路基板上に設けた複数の発光素子と、前記発光素子を配置する為の溝穴を備え、前記回路基板に接して設けた導光板と、を有し、
前記充填剤は、前記導光板に遮られ前記発光素子には非接触である、ことを特徴とする洗濯機。
【請求項２】
請求項１記載の洗濯機であって、
前記操作パネルは、前記外蓋の表面と面一になるように内蔵された、洗濯機。
【請求項３】
請求項１記載の洗濯機であって、
前記操作パネルは、前記外蓋の中央部、又は中央部手前に配置された、洗濯機。
【請求項４】
請求項１記載の洗濯機であって、
前記発光素子は、表面実装型ＬＥＤである、洗濯機。
【発明の詳細な説明】
【技術分野】
【０００１】
本発明は、衣類等の洗濯を行う洗濯機に関する。
【背景技術】
【０００２】
洗濯機においては、洗濯機の運転に関する設定操作や表示を行う操作パネルが設けられる。その操作パネルの裏側には、操作パネル表面に印刷されている表示面の視認性を向上させるためのＬＥＤのような発光素子が複数配設されている回路基板が具備されており、操作パネルの操作内容によりＬＥＤが各々点灯するものである。また、回路基板には水気浸入による絶縁不良を防止するため充填剤を充填するポッティング処理を施している（特許文献１）。
【先行技術文献】
【特許文献】
【０００３】
【特許文献１】特開２０１５−８３０６３号公報
【発明の概要】
【発明が解決しようとする課題】
【０００４】
しかしながら、ポッティング処理を施した場合、高さ寸法が低い（例えば３mm以下）のＬＥＤでは、その表面が充填剤に覆われてしまい、ＬＥＤの出射光が充填剤に遮られて操作パネルの表示面輝度が下がってしまう恐れがある。そのため、リードフレームを持たない比較的安価で輝度が高い表面実装型(チップ型)ＬＥＤを使用することができなかった。一方で従来の砲弾型ＬＥＤでは輝度が低く表示面の視認性が悪いという問題もあった。
【０００５】
そこで、本発明では、比較的安価で輝度が高い発光素子を用いても操作パネルの表示面輝度の低下を抑止可能な洗濯機を提供することを目的とする。
【課題を解決するための手段】
【０００６】
このような課題を解決するために本発明の洗濯機は、筐体と、筐体上部に設けた外蓋と、外蓋に設けた操作パネルと、を有し、操作パネルは、回路基板と、回路基板上に充填された充填剤と、回路基板上に設けた複数の発光素子と、発光素子を配置する為の溝穴を備え、回路基板に接して設けた導光板と、を有し、充填剤は、導光板に遮られ発光素子には非接触である、構成とする。
【発明の効果】
【０００７】
本発明によれば、比較的安価で輝度が高い発光素子を用いても操作パネルの表示面輝度の低下を抑止可能な洗濯機を提供出来る。
【図面の簡単な説明】
【０００８】
【図１】本発明に係る洗濯機の斜視図である。
【図２】本発明に係る洗濯機の上面図である。
【図３】本発明に係る洗濯機の操作パネルの断面を示す図である。
【発明を実施するための形態】
【０００９】
以下、本発明を実施するための形態（以下「実施形態」という）について、適宜図面を参照しながら詳細に説明する。図１は、本発明の第１の実施形態に係る洗濯機の斜視図を示す。図２は上面図である。
【００１０】
図１に示すように、本実施形態の洗濯機は、筐体１０と、この筐体１０内に備える洗濯槽とを含んで構成されたものであり、全体を支持するベース１１と、前板１２と、後板１３と、左右の側板１４と、上板であるトップカバー１５と、外蓋１７と、を備えている。
【００１１】
外蓋１７には、図２に示すように、運転コースの設定や運転状態の表示などを行う操作パネル１６が内蔵されている。なお、外蓋は、１枚のガラス蓋であり、塵などが入らない構造であり、操作パネル１６と面一の構成としており、それにより意匠性が高く、且つ、ゴミ等の付着がし難く、拭き掃除がし易い構造となっている。本実施形態では、操作パネル１６内に操作パネル１７を設けているが、使用者が操作しやすいように、外蓋１７の中央部又は中央部より手前側に設けることが望ましい。
【００１２】
次に、図３に操作パネルの縦断面の一部を示す。
【００１３】
操作パネル１６の下方には、回路基板２４に接続された、複数の発光素子であるＬＥＤ２３が設けられている。そのＬＥＤから出射された光で、運転コースの設定や運転状態の表示などが可能となる。１つ１つのＬＥＤ２３は、ＬＥＤ２３から出射された光を効率よく、正確に、操作パネル１６に導くため、仕切り板が設けられたＬＥＤガイド２０内に設けられ、ＬＥＤ２３から出射された光は、透明な導光板２１を介して、操作パネル１６裏側から照射される。その際、導光板２１には、ＬＥＤ２３を設けるための、溝穴２２を設けた構成としている。
【００１４】
従来から回路基板２４には水気侵入による絶縁不良を抑止するために、充填剤２５等で覆う、ポッティング処理が施されている。そのため、ＬＥＤガイド２０の下方には、充填剤２５が流れ込むように、回路基板２４とＬＥＤガイド２０の間に、約２〜３mmの隙間が設けられている。しかし、ＬＥＤ２３が接続された回路基板２４上、すべて充填剤２５で覆った場合、リードフレームが短い、またはリードフレームが無い安価なＬＥＤを使用した際、ＬＥＤの一部表面が充填剤で覆われ、ＬＥＤから出射された光が充填剤に遮られ、操作パネル１６の表示面輝度が下がる恐れがある。
【００１５】
本発明では、ＬＥＤ２３の外形形状に合わせた溝穴２２を設けた透明の導光板を、ＬＥＤ２３が導光板２１の溝穴２２の中に納まるように、回路基板２４の表面に密着させながら取り付けることで、ＬＥＤ２３が配設されている個所のみ充填剤２５が流れ込むことを抑止でき、安価で輝度が高い表面実装型のＬＥＤを使用することが可能となり、操作パネルの表示面の視認性を向上することが出来る洗濯機を提供することが出来る。
【符号の説明】
【００１６】
１０  筐体
１１  ベース  
１２  前板  
１３  後板
１４  側板
１５  トップカバー
１６  操作パネル
１７  外蓋
２０  ＬＥＤガイド
２１  導光板
２２  溝穴
２３  ＬＥＤ
２４  回路基板
２５  充填剤
【図１】
2020110245.tif 000003
【図２】
2020110245.tif 000004
【図３】
2020110245.tif 000005
(57)【要約】      （修正有）【課題】多様化が進む現代において装飾物を飾り付ける製品として、多用途で使用でき、なおかつ装飾物の着脱が使用者で対応できる製品を提供する。【解決手段】本開発のクリップは、従来の自立式の装飾に加えて、把持機能による部材へ把持保持させて装飾、面との接着による装飾が可能となり、多用途に適用することができる。装飾物の着脱が使用者によって実施でき、他の装飾物の流用が可能であり、装飾物を限定しない。台座裏面と、稼働部品の装飾物設置面は任意の角度に設計できるため、直立平面部に設置した際に装飾物が前屈や跳ね上がりせず、設置面の面直方向から装飾物視認が可能である。【選択図】図４
2020110299.tif 000002
【特許請求の範囲】
【請求項１】
台座と可動部品と弾性体で構成された、もしくは弾性体で構成された、装飾物の着脱可能な機構を有するクリップ。
【請求項２】
装飾物を取り付けた状態、及び装飾物が無い状態で把持機能を有する、請求項１記載のクリップ。
【請求項３】
装飾物を取り付けた状態で自立可能な、請求項１および請求項２記載のクリップ。
【請求項４】
面に対して張り付けることが可能であり、その状態で装飾物が落下せずに保持できる機構を有する、請求項１および請求項２記載のクリップ。
【請求項５】
台座裏面と、稼働部品の装飾物設置面は任意の角度に設計することができ、台座裏面の面直方向からの装飾物視認が可能な、請求項１および請求項２記載のクリップ。
【発明の詳細な説明】
【技術分野】
【０００１】
本開発は、従来の自立式の装飾に加えて、把持機能による部材へ把持保持させて装飾、面との接着による装飾が可能となり、多用途に適用することができるクリップである。
【先行技術文献】
【特許文献】
【０００２】
【特許文献１】実登3151027
【特許文献２】特開2003-310314
【発明の概要】
【発明が解決しようとする課題】
【０００３】
多様化が進む現代において装飾物を飾り付ける製品には、多用途で使用でき、なおかつ装飾物の着脱が使用者で対応できる製品が求められている。
装飾物の飾りつけには現在、装飾物を専用の台座に差し込む、支持台座を使用して設置する、紐状部品を使って吊り下げる等の方法があるが、用途が観賞用に限定されている。
装飾物と設置のための台座には専用性があるため、他の装飾物に流用することができず、使用者による入れ替えが不可能となっている。
装飾物を壁面等に飾る際、前述の現状の台座では設置面の面直方向からの視認に対応できず、専用の台座を有する製品の購入が不可欠となっている。
【課題を解決するための手段】
【０００４】
クリップ前部下に溝または穴を有する装飾物取付け部分１で、様々な形状の装飾物  を取り付けることができる。装飾物は溝または穴にはめ込んで固定する為、着脱が安易であり、使用者の任意で取外しが容易に行える。
【０００５】
挟み足２を長くすることで、クリップ部で何かしらを挟持状態であっても挟持対象物と、クリップ前部に取り付けられた装飾物が平行ないしは、それに近い角度になる。図７これにより、正面から装飾物を視認した際に隅々まで視認が可能となる。
【発明の効果】
【０００６】
本発明により、クリップに対して多様な装飾物を安易に取外しが可能となる。
【０００７】
本発明により、クリップした対象と平行を保てることから、細部と色彩の確認が容易に行える。
【図面の簡単な説明】
【０００８】
【図１】本発明に係るクリップの側面図及び上面図である。
【図２】クリップ前部の装飾物取付部詳細構造を示す図である。
【図３】クリップ裏部の詳細構造を示す図である。
【図４】クリップに装飾物を取付けた状態を示す図である。
【図５】クリップ自立した状態を示す図である。
【図６】クリップをホワイトボード等の平面に固定した状態を示す図である。
【図７】クリップ部が挟持状態の場合、挟持対象と装着した装飾物が平行になる事を示す側面図である。
【発明を実施するための形態】
【０００９】
図５は本発明に係るクリップの装飾実施例を示す。図１及び図２においてクリップ前部装飾物取付け部分１の溝若しくは穴の構造を示す。
図２、図７において、クリップの挟持機構が挟み足２で前部を押す構造であることから装飾物とクリップした対象が平行になる構造である事を示す。
【実施例】
【００１０】
本クリップに加飾を施したアクリルをダイカットしたものを装飾物として取付けることで、クリップとしての機能性を担保したまま、使用者の任意の装飾を施したクリップとして使用することができる。
【符号の説明】
【００１１】
１ 装飾物取付け部分
２ 挟み足
【図１】
2020110299.tif 000003
【図２】
2020110299.tif 000004
【図３】
2020110299.tif 000005
【図４】
2020110299.tif 000006
【図５】
2020110299.tif 000007
【図６】
2020110299.tif 000008
【図７】
2020110299.tif 000009